(57)【要約】【課題】複雑な構造を必要とせず、かつ倒れにくい構造の杖を提供する。【解決手段】一方の端部に被結合部２１が形成された柄部２と、被結合部を介して柄部と結合する結合部１０が形成された把持部１と、を備えたＴ字形状の杖であって、把持部は結合部を基準として前部１２と後部１３とで構成され、前部及び／又は後部の内部に磁石１５が挿入されてなり、前部の下面に第一弾性部材１４を備えてなることを特徴とする。これにより、外観上の美観を維持したまま磁石による吸着効果を維持することができ、壁に立てかけたりテーブルの上に置くなどして杖を倒れないようにすることができる。【選択図】図１
2009226204.tif 000002
【特許請求の範囲】
【請求項１】
一方の端部に被結合部が形成された柄部と、
前記被結合部を介して前記柄部と結合する結合部が形成された把持部と、を備えたＴ字形状の杖であって、
前記把持部は前記結合部を基準として前部と後部とで構成され、前記前部及び／又は前記後部の内部に磁石が挿入されてなり、
前記前部の下面に第一弾性部材を備えてなることを特徴とする磁石を備えたＴ字形状の杖。
【請求項２】
前記柄部に固定されるホルダーをさらに具備し、
前記ホルダーの下面には第二弾性部材が固定されてなり、
前記第二弾性部材のうち、前記第二弾性部材の下側面には凹凸模様が形成されていることを特徴とする請求項１に記載の磁石を備えたＴ字形状の杖。
【発明の詳細な説明】
【技術分野】
【０００１】
本発明は、カウンターやテーブルなどに容易に引っ掛けることができる磁石を備えたＴ字形状の杖に関する。
【背景技術】
【０００２】
従来から、特に身体が比較的弱い高齢者や身体に何らかの障害を有する障害者は、外出時における歩行の補助手段等として杖を使用している。杖の使用者は、歩行時において左右のいずれかの手で杖を保持して杖を使用する。そして外出先に着いた場合など杖が不要である時には、壁に立てかけたりテーブルの上に置くなどして杖を載置していた。
ここで杖を壁に立てかけたりテーブルの上に置く場合、杖が倒れたりテーブル上から落下しないように固定して配置できることが好ましい。このような杖に関して例えば以下のような技術が開示されている。
特許文献１には、把持部の各面に小穴を多数形成し、この小穴に粒状の永久磁石を嵌め込んで接着剤で固定した構造の杖が記載されている。
また特許文献２には、把持部における一方の端部の下面に突起を形成した構造の杖が記載されている。この杖によれば、テーブルなどに杖を載置する場合、突起の持つ摩擦作用により杖がテーブル面から滑らずに落下を抑制することができるとされている。
【先行技術文献】
【特許文献】
【０００３】
【特許文献１】特開２００６−３１１９８６号公報
【特許文献２】特開平８−６６２１５号公報
【発明の概要】
【発明が解決しようとする課題】
【０００４】
しかしながら、前記従来の技術のものでは以下のような課題があった。すなわち特許文献１に記載の杖では、表面に粒状磁石がむきだしとなっているため、外観上の美観として必ずしもよいものではない。そもそも杖は使用者にとっては日常最も頻繁に利用する道具の一つであるので、むきだしとなった磁石の凸部と手が接触して圧迫してしまう。また、杖は雨天時なども使用しなければならないが、粒状磁石がむきだしとなっていては経年劣化が起こり、嵌め込んだ磁石が把持部から外れてしまうおそれもある。
一方で特許文献２に記載の杖においては、テーブルや壁が金属材料を含んでおらずとも滑り止め効果をある程度発揮できるが、突起との接触面積は小さく、例えば雨天時や湿気の多いときなどはその滑り止め効果はそれほど大きなものではない。したがってこのような杖においても依然として倒れやすいことは否めない。
本発明は、このような従来の課題を解決するためになされたもので、複雑な構造を必要とせず、かつ倒れにくい構造の杖を提供することを目的とする。
【課題を解決するための手段】
【０００５】
（１）本発明の磁石を備えたＴ字形状の杖は、一方の端部に被結合部が形成された柄部と、前記被結合部を介して前記柄部と結合する結合部が形成された把持部と、を備えたＴ字形状の杖であって、前記把持部は前記結合部を基準として前部と後部とで構成され、前記前部及び／又は前記後部の内部には柱状の磁石がそれぞれ挿入されてなり、前記前部の下面に第一弾性部材を備えてなることを特徴とする。
（２）上記（１）において、前記柄部に固定されるホルダーをさらに具備し、前記ホルダーの下面には第二弾性部材が固定されてなり、前記第二弾性部材の下側面には凹凸模様が形成されていることが好ましい。
【発明の効果】
【０００６】
本発明によれば、把持部の内部に柱状の磁石を挿入したことにより、外観上の美観を維持したまま磁石による吸着効果を維持することができ、壁に立てかけたりテーブルの上に置くなどして杖を倒れないようにすることができる。
また、スチール家具や自動車のボディ等に、相手の形状を選ばずに磁石部分を吸着させることができる。
【発明を実施するための最良の形態】
【０００７】
本発明の磁石を備えたＴ字形状の杖にかかる好適な実施形態は、一方の端部に被結合部が形成された柄部と、この被結合部を介して柄部と結合する結合部が形成された把持部と、を備えたＴ字形状の杖であって、把持部は結合部を基準として前部と後部とで構成され、前部及び／又は後部の内部には柱状の磁石がそれぞれ挿入され、前部の下面に第一弾性部材を備えてなる。
【０００８】
まず柄部は、所定の長さを有する棒状の部材であり、一例としてその断面は円形状の部材が用いられる。なお、柄部の長さは使用者の身長などによって適宜設定される。また、柄部の内部は、木材の場合を除き、軽量化を目的として空隙とされている。そして柄部の一方の端部には被結合部の一例としての雄ネジが切ってあり、該雄ネジは後述する把持部に形成された結合部としての雌ネジと組み合わされて把持部と固定される機能を有する。柄部に用いられる材料としては公知のものが種々挙げられ、例えば木材、鉄やアルミニウムなどの金属、あるいは強化プラスチックなどがある。また防錆を目的として樹脂などがその表面に被覆されていてもよい。
【０００９】
また、柄部には、その下面に第一弾性部材を備えるホルダーをさらに具備するとなおよい。このホルダーは、例えば、内部が空隙であれば、柄部の内部に挿入された固定用木材とネジにより固定される。なお、第一弾性部材の下側面（ホルダーとの接触面とは反対側の面、すなわちテーブルや机などと接触する面）には凹凸模様が形成されているとテーブルとのずれが生じにくく、さらには粘着性を備えるものであるとなおよい。
ホルダーの材料はとくに限定されず、木材を用いて形成してもよいし、磁性材料で形成されていれば金属材料を備えるテーブルなどとの接着性向上の観点からより好ましい。
【００１０】
把持部は使用者の手が接触する部分であり、通常は木材やプラスチックを加工することにより形成される。把持部の材料としては上記のものが挙げられるがこれに限定されない。また、装飾や防腐効果を目的とした表面処理を行ってもよい。把持部の下面側（杖をついた状態における、鉛直方向を基準とした場合の下側）には、結合部の一例として上述の雌ネジが形成されている。なお本形態においては、把持部側を雌ネジとしているがとくにこれに限定されるものではない。
【００１１】
そしてこの把持部は、雌ネジを基準として、前部（手で持ったときに親指や人差し指などが主に接触する側である。）と、後部（手で持ったときに小指などが主に接触する側）とに分かれている。前部における下面側には第一弾性部材が固定して配置されている。この弾性部材の具体例としては粘着性を有するエラストマーが好適であるが、とくにこれに限定されず粘着性のない他の材料を用いてもよい。また、第一弾性部材の下側面（すなわちテーブル等との接触面）には、凹凸模様が形成されているとなお好ましい。
【００１２】
把持部の前部及び／又は後部の内部には磁石が挿入されている。この磁石の形状は特に限定されないが、例えば柱状のものが挙げられる。また磁石の挿入方法としては種々考えられ、例えば把持部の表面からドリルなどで穴を形成して柱状の磁石を挿入した後に封止してもよい。あるいは把持部をその中心から二つにいったん分割し、その内面を加工して柱状の磁石を配置した後にこの二つの部材を接着してもよい。
【００１３】
磁石の材料としては公知のものが適用でき、フェライト磁石やネオジム磁石などが例示できる。なお、前部に挿入される磁石は前部の下部に形成される上述の弾性部材と対向する位置に挿入されてなることが好ましい。さらに磁石を柱状とした場合、前部に挿入される柱状の磁石と、後部に配置される柱状の磁石は、その長辺の向きが必ずしも平行でなくてもよい。
【実施例】
【００１４】
以下、各図面に基づいて本発明の杖に係る一実施例を説明する。
図１は、本発明の実施例に係る杖の一部を示した正面図であり、把持部１の中央から下方に柄部２が延出したＴ字形状となっている。
本実施例では、把持部１に形成された結合部である雌ネジ１１と、柄部２の一方の端部に形成された被結合部である雄ネジ２１とが組み合わされてＴ字形状となっているが、把持部１と柄部２の結合の態様は上記の例に限られず、接着剤などで両者を固着したものでもよい。
【００１５】
把持部１は、本実施例に係るＴ字形状の杖のうち、上方に位置する部材であり、本実施例では木材を材料として形成される。また把持部１は使用者の手で握られる部分でもあるので、必要に応じて塗料などの表面処理が施される。そして結合部（雌ネジ１１）を基準として前部１２（杖を握った状態で前方部）と後部１３（杖を握った状態で後方部）とに分かれている。
なお前部１２は主に使用者の親指や人指し指などが接触する部分となる。そして前部１２の下側（杖を握った状態で下方部）には第一弾性部材１４が形成されている。
【００１６】
柄部２は木材を加工して形成される棒状の部材であり、使用者の身長に応じてその長さは適宜設定される。なお材料は木材に限定されず、プラスチックなども好適に用いられる。そして柄部２の一方の端部には、把持部１との被結合部としての雄ネジ２１が形成される。
【００１７】
また、柄部２のうち把持部１と所定の間隔を隔てた下方個所には、ホルダー３が結合されている。このホルダー３の柄部２への取り付け位置としては、例えば、図１に示されるように第一弾性部材１４のほぼ直下となることが好ましい。
【００１８】
図２（ａ）は把持部１を壁面に吸着させた状態を示す平面図であり、（ｂ）はその正面図である。
この把持部１に挿入される磁石１５と、前部１２の下側に配置される第一弾性部材１４の位置関係を示す図である。図示のとおり、壁Ａが金属材料を含む場合、杖の把持部１に挿入された磁石１５を壁Ａの面に吸着させて、杖の転倒を防止することができる。
【００１９】
磁石１５の形状は柱状であり、前部１２及び後部１３にそれぞれ一本ずつ挿入されている。
挿入の方法としては、例えば把持部１の表面にドリルなどで挿入孔を形成し、形成したこの挿入孔に磁石１５を挿入することにより実現できる。また磁石１５を挿入した後に、把持部１と同じ材料により形成された封止片を用いて封止することにより外観上の美観を保つことができる。
【００２０】
また磁石１５の材料としては公知のものが適用でき、フェライト磁石やネオジム磁石などが例示できる。なお、前部１２に挿入される磁石は、前部１２の下部に形成される第一弾性部材１４の真下になるような位置に挿入されてなることが好ましい。
さらに磁石を柱状とした場合、本実施例では前部１２と後部１３にそれぞれ挿入される磁石１５は同じ方向を向くように平行に挿入されているが、これに限定されるものではない。例えば前部に挿入される柱状の磁石１５と、後部に配置される柱状の磁石１５は、その長辺の向きが必ずしも平行でなくてもよい。
【００２１】
図３は、第一弾性部材１４が装着された把持部１を示す斜視図である。第一弾性部材１４は、例えば軟質ゴムやエラストマー等の樹脂によって形成されており、杖をテーブルや机などに置く場合に滑り止めとして機能する部材である。本実施例においては、粘着性を有するポリウレタンエラストマーを用いており、その主要な成分としてポリウレタンが約７５質量％、トリス（クロロピル）ホスフェートが約１３質量％、ジイソノリルフタレートが約１０質量％含有されている。そして第一弾性部材１４は、把持部１の前部１２と公知の耐水性の高い接着剤などを介して接合されている。
【００２２】
なお、本実施例において、第一弾性部材１４の形状は面状であるが、とくに限定するものではない。テーブル等と接触する接触面には凹凸模様が形成されていてもよい。
この凹凸模様は、工作機により切削加工して刻みを入れてもよいし射出成型を用いて製造する場合には成形型を加工してもよい。
このようにテーブルや机との接触面を下駄の歯のような凹凸模様とすることで、より一層滑り止め機能を向上させることができる。
【００２３】
また、図４に示すごとく、第一弾性部材１４の中心部には、磁石１４０を挿入するための円形凹部１４１が形成されていてもよい。この円形凹部１４１に磁石１４０が挿入され、公知の耐水性のある接着剤を介して磁石１４１が固着される。磁石１４０の材料としてはコストを考慮して種々考えられ、例えばフェライト磁石やネオジム磁石などを用いることができる。このように磁石１４０を用いることで、例えば金属部品を用いたテーブルや机などでより一層滑り止め効果を発揮でき、雨天時など湿気の多い日にも杖の転倒を防止することができる。
【００２４】
図５に、杖の柄部２の途中に設けられているホルダー３を示す。ホルダー３は、テーブルや机の上面にホルダー３を引っ掛けるようにして、杖を置く場合の滑り止めとして機能するものである。
比較的低い高さのテーブルなどに杖を置くことを想定した場合、そのテーブルや机の高さによっては必ずしも把持部１の前部１２が引っ掛けることができる高さでない場合もある。このような場合に、ホルダー３に備えられた第二弾性部材３２の下側面がテーブル上面に接触することとなる。
【００２５】
ホルダー３は、ホルダー本体３１と第二弾性部材３２とからなる。ホルダー本体３１は主に木材を加工して形成され、第二弾性部材３２は第一弾性部材同様に軟質エラストマーなどの樹脂により形成され、ホルダー本体３１と第二弾性部材３２とは接着剤を介して結合されている。
そして、ホルダー本体３１は柄部２と接着剤等を介して固着され、把持部１側から下方程裾が広がるスカート形状となっている。またホルダー本体３１の厚さは、柄部２の大きさに応じて概ね２ｃｍ乃至５ｃｍとなっている。
【００２６】
第二弾性部材３２のうちテーブルなどと接触する下側面は凹凸模様３３が形成されており、複数の凸部３４がテーブル面と空間をおいて接触するようになっている。
この凹凸模様３３の形成方法としては、例えば切削機により溝を適宜形成してもよいし、射出成型の型を凹凸が形成された面となるようにしてもよい。
なお本実施例においては、凹凸模様３３のうち、隣り合う凸部３４のピッチを一定とせずに異ならせているが、これを一定のピッチとしてもよい。
【００２７】
また、ホルダー３は図５に示される形状には限定されず、例えばホルダー本体３１をコーン形状（円錐形状）とすることもできる。
このような形状とした場合には、ホルダー本体３１の中心部に上下方向の貫通孔を形成し、当該貫通孔に柄部２を貫通させ、ホルダー３を柄部２の途中に固定するようにする。
なお、ホルダー本体３１の柄部２への固定は接着剤を用いることもできるが、ホルダー本体３１に形成される貫通孔の内部に別の弾性部材を配置して柄部２へ圧入してもよい。
【００２８】
また、コーン形状としたホルダー本体３１の下面の形状に合わせ、第二弾性部材３２の形状をリング状とすることもできる。このようにすれば、使用者は机やテーブルに杖を引っ掛ける際に把持部１の方向を気にせず杖を引っ掛けることができる。
【００２９】
図６は、本実施例に係るＴ字状の杖の使用状態を示す説明図であり、
（ａ）は比較的高さのあるテーブルＢに把持部１の前部１２を載置した説明図であり、（ｂ）は比較的高さの低いテーブルＢにホルダー３を引っかけて載置した説明図である。
図６（ａ）ではテーブルＢの面に対して杖に装着された第一弾性部材１４が接触して滑り止め効果を発揮する。また、図６（ｂ）ではホルダー３に接着された第二弾性部材３２の凸部３４がテーブルＢの面と接触して滑り止め効果を発揮する。
いずれの例においても、それぞれの弾性部材を介してテーブルＢの上面と接触するため、杖が不用意に転倒することを防止することができる。
【００３０】
なお、本発明に係る杖ならびにその各構成は、テーブルや机への載置に際して滑り止め機能を発揮することをその要旨とするものである。したがって上記以外の公知材料も適宜適用が可能であり、本発明の要旨を逸脱しない範囲で本発明の技術的範囲に属するものである。
【産業上の利用可能性】
【００３１】
本発明のＴ字形状の杖によれば、テーブルや机に杖を簡単に引っ掛け、あるいは立て掛けて置くことができ、なおかつ杖の転倒を効果的に防止することができる。
したがって、特に高齢者や障害者などを対象とした福祉の分野や健康補助具の分野において、産業上の利用可能性が高い発明である。
【図面の簡単な説明】
【００３２】
【図１】本発明の実施例１に係るＴ字形状の杖を部分的に示した正面図である。
【図２】（ａ）は把持部１を壁面に吸着させた状態を示す平面図であり、（ｂ）はその正面図である。
【図３】第一弾性部材が装着された把持部を示す斜視図である。
【図４】ホルダー３の他の実施形態を示す概略図である。
【図５】杖の柄部の途中にホルダーを設けた状態を示す概略図である。
【図６】（ａ）は比較的高さのあるテーブルＢに把持部１の前部１２を載置した説明図であり、（ｂ）は比較的高さの低いテーブルＢにホルダー３を引っかけて載置した説明図である。
【符号の説明】
【００３３】
１  把持部
２  柄部
３  ホルダー
１１  雌ネジ（結合部）
１２  前部
１３  後部
１４  第一弾性部材
１５  磁石
２１  雄ネジ（被結合部）
３１  ホルダー本体
３２  第二弾性部材
３３  凹凸模様
３４  凸部
３５  磁石
１４０  磁石
１４１  円形凹部
Ａ    壁
Ｂ    テーブル
【図２】
2009226204.tif 000003
【図６】
2009226204.tif 000004
【図１】
2009226204.tif 000005
【図３】
2009226204.tif 000006
【図４】
2009226204.tif 000007
【図５】
2009226204.tif 000008